(57)【特許請求の範囲】
【請求項１】
送信装置および受信装置間でマルチキャリア方式を用い、Ｎ個のサブキャリアの中から通信に使用するサブキャリア数Ｍ（Ｍは、Ｎ以下の自然数)およびその配置を回線品質に応じて適応的に選択して通信する無線通信システムにおいて、
Ｍ個のサブキャリアの回線品質が、残り（Ｎ−Ｍ）個のサブキャリアの電力を重畳した上で、所要の回線品質を満たすという条件の元でＭを決定し、選択されたＭ個のサブキャリアを使用して通信することを特徴とする無線通信システム。
【請求項２】
前記サブキャリアを連続するＫ個（Ｋは、Ｎの約数）のサブキャリアからなるＮ／Ｋ個のブロックを構成し、更にＮ／Ｋ個のブロックをＬ種類（Ｌは、1以上Ｎ／Ｋ以下の整数）のグループに分け、前記サブキャリアを選択する際に、同一グループのサブキャリアを優先的に選択することを特徴とする請求項１に記載の無線通信システム。
【請求項３】
回線品質として信号電力対干渉電力比を使用し、回線品質が高いサブキャリアを優先的に選択し、次の送受信に使用する請求項１又は２に記載の無線通信システム。
【請求項４】
回線品質として信号電力対雑音電力比を使用し、回線品質が高いサブキャリアを優先的に選択し、次の送受信に使用することを特徴とする請求項１又は２に記載の無線通信システム。
【請求項５】
回線品質として信号電力を使用し、回線品質が高いサブキャリアを優先的に選択し、次の送受信に使用することを特徴とする請求項１又は２に記載の無線通信システム。
【請求項６】
前記送信装置は、順次接続されたベースバンド信号生成装置、直並列変換装置、逆フーリエ変換装置およびガードインタバル付加装置に加えて、前記直並列変換装置および前記逆フーリエ変換装置間に設けられたサブキャリアマッピング装置および電力制御装置と、前記ガードインタバル付加装置の出力側に設けられた多重装置と、前記直並列変換装置、前記サブキャリアマッピング装置、前記電力制御装置および多重装置に対して選択されたサブキャリアの配置を示す信号を出力するサブキャリア割当て制御装置とを備えることを特徴とする請求項１乃至５の何れかに記載の無線通信システム。
【請求項７】
前記受信装置は、順次接続されたガードインタバル除去装置、フーリエ変換装置、並直列変換装置およびベースバンド復調装置に加えて、前記ガードインタバル除去装置の入力側に設けられた分離装置と、前記フーリエ変換装置および前記並直列変換装置間に設けられた逆サブキャリアマッピング装置と、前記分離装置および前記逆サブキャリアマッピング装置間に設けられたサブキャリア配置信号再生装置と、前記分離装置の出力側に設けられたサブキャリア配置決定装置とを備えることを特徴とする請求項１乃至６の何れかに記載の無線通信システム。
【発明の詳細な説明】
【０００１】
【発明の属する技術分野】
本発明は無線通信システムに関し、例えば回線品質に応じ適応的に送信パラメータを制御する無線通信システムに関する。
【０００２】
【従来の技術】
移動通信等で採用されているマルチキャリア無線通信システムに関する従来技術は、例えば特開２００１−２８５７７号公報の「路車間通信システム並びに路上通信局及び車載移動局」、特開２００１−１０３０６０号公報の「無線通信システム、無線通信方法、無線基地局及び無線端末局」、特開２００１−１４４７２２号公報の「ＯＦＤＭ送受信装置」、特開２００１−１４８６７８号公報の「マルチキャリア通信装置」および特開平１１−５５２１０号公報の「マルチキャリア信号伝送方法および装置」等に開示されている。
【０００３】
無線伝搬路を通しての伝送において、特に大きな問題となるマルチパスによる周波数選択性フェージングに対し、これまで周波数軸上に狭帯域のキャリアを多数並べて伝送特性の改善を図るマルチキャリア方式が提案されてきた。なかでも、各キャリアが直交するようにキャリアを配置する直交周波数多重（ＯＦＤＭ： Orthogonal Frequency Division Multiplexing）方式と、周波数軸上で信号を拡散した後に各サブキャリアを変調するマルチキャリアＣＤＭＡ（ＭＣ−ＣＤＭＡ: Multi Carrier-Code Division Multiple Access）方式が広く研究開発されてきた。ここでは、「ディジタル移動通信」（藤野  忠著、昭晃堂、２０００年１７０〜１７５ページ記載のＯＦＤＦ方式および「Performance of Coherent Multi-Carrier/DS-CDMA and MC-CDMA for Broadband Packet Wireless Access」（Sadayuki Abeta他著、IEICE Trans. On Commun., Vol. E84-B、 No. 3 March 2001）記載のＭＣ−ＣＤＭＡ方式について図６および図７を参照して説明する。
【０００４】
図７と図８は、ＯＦＤＭ方式の無線通信システム（送受信装置）の構成図である。この無線通信システムは、送信装置３１（図７参照）および受信装置４１（図８参照）により構成される。送信装置３１は、ベースバンド信号生成装置１０１、直並列変換装置１０２、逆フーリエ変換装置１０５およびガードインタバル付加装置１０６により構成される。一方、受信装置４１は、ガードインタバル除去装置２０２、フーリエ変換装置２０３、並直列変換装置２０６およびベースバンド復調装置２０７により構成される。
【０００５】
送信装置３１において、ベースバンド信号生成装置１０１は、送信信号Ｓinを入力とし、シンボル時系列ＳＢmodを出力する。直並列変換装置１０２は、ベースバンド信号生成装置１０１の出力ＳＢmodを入力として、並列に変換された並列信号ＳSP(1)〜ＳSP(N)を出力する。逆フーリエ変換装置１０５は、直並列変換装置１０２の出力を入力として、逆フーリエ変換された時系列ＳIFFTを出力する。ガードインタバル付加装置１０６は、逆フーリエ変換装置１０５の出力を入力として、ＳIFFTの一部をガードインタバルとして付加し、ＳGIを出力する。
【０００６】
一方、受信装置４１において、ガードインタバル除去装置２０２は、受信信号Ｒinを入力として、ガードインタバルが取り除かれたＯＦＤＭ信号ＲGIDを出力する。フーリエ変換装置２０３は、ＯＦＤＭ信号ＲGIDを入力とし、フーリエ変換された信号ＲFFT(1)〜ＲFFT(N)を出力する。並直列変換装置２０６は、並列信号ＲFFT(1)〜ＲFFT(N)を入力として時系列ＲPSを出力する。ベースバンド復調装置２０７は、時系列信号ＲPSを入力として、出力Ｒoutを出力する。上述の如く、ＯＦＤＭ方式では、周波数軸上で狭帯域のサブキャリアを変調し、逆フーリエ変換することにより送信信号を形成する。受信機では、受信信号をフーリエ変換することにより周波数軸上の信号に変換して復調する。また、ガードインタバルを付加することにより、この時間内に到来するマルチパスの影響を三角関数の直交性により除去可能である。
【０００７】
次に、図９と図１０に示すＭＣ−ＣＤＭＡ方式の無線通信システムを説明する。この無線通信システムは、送信装置５１（図９参照）および受信装置６１（図１０参照）により構成される。送信装置５１は、ベースバンド信号生成装置１０１、直並列変換装置１０２、拡散器５０１、逆フーリエ変換装置１０５およびガードインターバル付加装置１０６により構成される。一方、受信装置６１は、ガードインターバル除去装置２０２、フーリエ変換装置２０３、逆拡散器６０１、並直列変換装置２０６およびベースバンド復調装置２０７により構成される。
【０００８】
送信装置５１において、ベースバンド信号生成装置１０１は、入力信号Ｓinを入力とし、シンボル時系列ＳＢmodを出力する。直並列変換装置１０２は、ベースバンド信号生成装置１０１の出力ＳＢmodを入力として、並列に変換された並列信号ＳSP(1)〜ＳSP(N/SF)を出力する。拡散器５０１は、直並列変換装置１０２の出力のある１つの出力信号を入力として、拡散信号ＳSS(1)〜ＳSS(SF)を出力する。逆フーリエ変換装置１０５は、ＳＦ個の拡散装置５０１の出力であるＳSS(1)〜ＳSS(N)を入力として、逆フーリエ変換された時系列ＳIFFTを出力する。ガードインタバル付加装置１０６は、逆フーリエ変換装置１０５の出力を入力としてＳIFFTの一部をガードインタバルとして付加し、ＳGIを出力する。
【０００９】
一方、受信装置６１において、ガードインタバル除去装置２０２は、受信信号Ｒinを入力とし、ガードインタバルが取り除かれたＯＦＤＭ信号ＲGIDを出力する。フーリエ変換装置２０３は、ＯＦＤＭ信号ＲGIDを入力とし、フーリエ変換された信号ＲFFT(1)〜ＲFFT(N)を出力する。逆拡散器６０１は、フーリエ変換された信号ＲFFTのＳＦ個の信号を入力として逆拡散し、ＲDSS(1)〜ＲDSS(N/SF)を出力する。並直列変換装置２０６は、並列信号ＲDSS(1)〜ＲDSS(N/SF)を入力として時系列ＲPSを出力する。ベースバンド復調装置２０７は、時系列信号ＲPSを入力として、出力Ｒoutを出力する。
【００１０】
以上のように、ＭＣ−ＣＤＭＡ方式の無線通信システムでは、送信装置５１で周波数軸上の信号を拡散してから逆フーリエ変換し、受信装置６１でフーリエ変換された信号を逆拡散することを特徴としている。これにより、周波数軸上で干渉電力を抑圧することができるため、複数のユーザを周波数軸上で多重することやセルラシステムにおいては全てのセルで同一の周波数帯域の使用が可能となる。
【００１１】
【発明が解決しようとする課題】
上述したＯＦＤＭ方式の無線通信システムでは、優れた耐マルチパス特性を有するが、セルラシステムを構築した場合に、セル境界付近等の干渉電力レベルが高くなる場所では特性が大きく劣化する。そのため、固定チャネル割当てや動的チャネル割当て等のチャネル割当て技術が必要になる。この場合には、周波数利用効率の低下又は制御負荷の増大が生じ得る。
【００１２】
一方、ＭＣ−ＣＤＭＡ方式の無線通信システムは、干渉電力に対する耐性を備えるため、セルラシステムを構築した場合にも高い周波数利用効率を維持可能である。しかし、周波数軸上で拡散符号により複数のユーザを多重したり、通信速度を高速化するために符号多重した場合には、周波数選択性フェージングの影響による直交性の崩れが大きくなり、伝送特性が劣化する。
【００１３】
また、上述した両方式の無線通信システム共に、十分な電界強度が得られる場所での通信では十分な伝送特性が得られる。しかし、例えば基地局から遠く離れた場合等、電界強度が弱くなる場所では、干渉電力の有無に拘らず、十分な受信電力が得られないために伝送特性が劣化することになる。
【００１４】
【課題を解決するための手段】
上述した課題を解決するために、本発明の無線通信システムは、次のような特徴的な構成を採用している。
【００１５】
（１）送信装置および受信装置間でマルチキャリア方式を用い、Ｎ個のサブキャリアの中から通信に使用するサブキャリア数Ｍ（Ｍは、Ｎ以下の自然数)およびその配置を回線品質に応じて適応的に選択して通信する無線通信システムにおいて、
Ｍ個のサブキャリアの回線品質が、残り（Ｎ−Ｍ）個のサブキャリアの電力を重畳した上で、所要の回線品質を満たすという条件の元でＭを決定し、選択されたＭ個のサブキャリアを使用して通信する無線通信システム。
【００１６】
（２）前記サブキャリアを連続するＫ個（Ｋは、Ｎの約数）のサブキャリアからなるＮ／Ｋ個のブロックを構成し、更にＮ／Ｋ個のブロックをＬ種類（Ｌは、1以上Ｎ／Ｋ以下の整数）のグループに分け、前記サブキャリアを選択する際に、同一グループのサブキャリアを優先的に選択する上記（１）の無線通信システム。
【００１７】
（３）回線品質として信号電力対干渉電力比を使用し、回線品質が高いサブキャリアを優先的に選択し、次の送受信に使用する上記（１）又は（２）の無線通信システム。
【００１８】
（４）回線品質として信号電力対雑音電力比を使用し、回線品質が高いサブキャリアを優先的に選択し、次の送受信に使用する上記（１）又は（２）の無線通信システム。
【００１９】
（５）回線品質として信号電力を使用し、回線品質が高いサブキャリアを優先的に選択し、次の送受信に使用する上記（１）又は（２）の無線通信システム。
【００２０】
（６）前記送信装置は、順次接続されたベースバンド信号生成装置、直並列変換装置、逆フーリエ変換装置およびガードインタバル付加装置に加えて、前記直並列変換装置および前記逆フーリエ変換装置間に設けられたサブキャリアマッピング装置および電力制御装置と、前記ガードインタバル付加装置の出力側に設けられた多重装置と、前記直並列変換装置、前記サブキャリアマッピング装置、前記電力制御装置および多重装置に対して選択されたサブキャリアの配置を示す信号を出力するサブキャリア割当て制御装置とを備える上記（１）乃至（５）の何れかの無線通信システム。
【００２１】
（７）前記受信装置は、順次接続されたガードインタバル除去装置、フーリエ変換装置、並直列変換装置およびベースバンド復調装置に加えて、前記ガードインタバル除去装置の入力側に設けられた分離装置と、前記フーリエ変換装置および前記並直列変換装置間に設けられた逆サブキャリアマッピング装置と、前記分離装置および前記逆サブキャリアマッピング装置間に設けられたサブキャリア配置信号再生装置と、前記分離装置の出力側に設けられたサブキャリア配置決定装置とを備える上記（１）乃至（６）の何れかに記載の無線通信システム。
【００２４】
【発明の実施の形態】
以下、本発明による無線通信システムの好適実施形態の構成および動作を、添付図面を参照して詳細に説明する。尚、上述した従来技術の構成要素に対応する構成要素には、説明の便宜上、同様の参照符号を使用する。
【００２５】
先ず、図1と図２は、本発明による無線通信システムの好適実施形態の構成を示すブロック図である。この無線通信システム１０は、送信装置１１（図１参照）および受信装置２１（図２参照）により構成される。送信装置１１は、ベースバンド信号生成装置１０１、直並列変換装置１０２、サブキャリアマッピング装置１０３、電力制御装置１０４、逆フーリエ変換装置１０５、ガードインタバル付加装置１０６、サブキャリア割当て制御装置１０７および多重装置１０８により構成される。一方、受信装置２１は、分離装置２０１、ガードインターバル除去装置２０２、フーリエ変換装置２０３、サブキャリア配置信号再生装置２０４、逆サブキャリアマッピング装置２０５、並直列変換装置２０６、ベースバンド復調装置２０７およびサブキャリア配置決定装置２０８により構成される。
【００２６】
送信装置１１において、ベースバンド信号生成装置１０１は、入力信号Ｓinを入力とし、シンボル時系列ＳＢmodを出力する。直並列変換装置１０２は、ベースバンド信号生成装置１０１の出力ＳＢmodとサブキャリア割当て制御装置１０７の出力を入力として、送信に用いるキャリア数（ここではＭとし、Ｍの最大値をＮとする）に応じて直並列変換し、Ｍ個の並列信号ＳSP(1)〜ＳSP(M)を出力する。
【００２７】
サブキャリアマッピング装置１０３は、直並列変換装置１０２の出力とサブキャリア割当て制御装置１０７の出力を入力とし、Ｎ個のサブキャリアに対し、選択されたＭ個のサブキャリアに、入力であるＳSP(1)〜ＳSP(M)を割当て、Ｎ個の信号Ｓmap(1)〜Ｓmap(N)を出力する。電力制御装置１０４は、サブキャリアマッピング装置１０３の出力とサブキャリア割当て制御装置１０７の出力を入力とし、選択されたＭ個のキャリアの電力密度を増加させるために、（Ｎ−Ｍ）キャリアの電力密度を０とし、これをＭキャリアに重畳し、電力制御された信号Ｓpwr(1)〜Ｓpwr(N)を出力する。
【００２８】
逆フーリエ変換装置１０５は、電力制御装置１０４の出力Ｓpwrを入力として、逆フーリエ変換された時系列ＳIFFTを出力する。ガードインタバル付加装置１０６は、逆フーリエ変換装置１０５の出力ＳIFFTを入力とし、その一部をガードインタバルとして付加し、ＳGIを出力する。多重装置１０８は、ガードインタバル付加装置１０６の出力ＳGIとサブキャリア割当て制御装置１０７の出力Ｓctrlを入力として、変調されたＯＦＤＭ信号とどのキャリアが選択されたかを示すＳctrlを多重し、Ｓoutを出力する。
【００２９】
次に、受信装置２１において、分離装置２０１は、受信信号Ｒinを入力とし、受信された信号を選択されたサブキャリア数とその配置に関する情報ＲSCと、変調されたＯＦＤＭ信号ＲDEMUXに分離する。サブキャリア配置信号再生装置２０４では、分離装置２０１の出力ＲSCを入力として、入力信号を復調することにより選択されたサブキャリアの配置を示す信号Ｒctrlを出力する。ガードインタバル除去装置２０２は、分離された信号ＲDMUXを入力として、ガードインタバルが取り除かれたＯＦＤＭ信号ＲGIDを出力する。フーリエ変換装置２０３は、ＯＦＤＭ信号ＲGIDを入力とし、フーリエ変換された信号ＲFFT(1)〜ＲFFT(N)を出力する。逆サブキャリアマッピング装置２０５は、フーリエ変換装置２０３の出力とサブキャリア配置信号再生装置２０４の出力を入力とし、Ｍ個の変調されたサブキャリアを抽出しＲDmap(1)〜ＲDmap(M)を出力する。
【００３０】
並直列変換装置２０６は、並列信号ＲDmap(1)〜ＲDmap(M)を入力とし、時系列ＲPSを出力する。ベースバンド復調装置２０７は、時系列信号ＲPSを入力としてＲoutを出力する。サブキャリア配置決定装置２０８は、分離装置２０１の出力ＲDMUXを入力とし、各サブキャリアの回線品質を推定し、これを示す信号Ｒnextを送信する。Ｒnextは、何らかの手段（例えば、逆方向の送受信）により送信装置１１、特に送信装置１１のサブキャリア割当て制御装置１０７で受信された信号をScinとする。
【００３１】
次に、図３は、図１と図２に示す無線通信システムによる第1実用例を示す。図２に示す実用例では、単一の送信装置１１から異なる距離ｄ0およびｄ1の場所に存在する2つの受信装置２１ａ、２１ｂを有する。ここでは、簡単のために、伝搬路の変動として距離による減衰のみを考え、電波は距離の4乗に従って減衰するものとする。このとき、距離ｄの地点における受信電力Ｐrは、送信電力をＰt として、Ｐr＝Ｐt・d-αで表される。ＯＦＤＭ方式を使用した場合には、距離ｄ0の地点にある受信装置２１ａでの1サブキャリア当りの受信信号電力対雑音電力比（ＳＮＲ）がγ0であるとすると、距離ｄ1だけ離れた地点におけるＳＮＲ（γ）はγ＝ γ0(ｄ1/ｄ0)-αで表される。従って、必要な回線品質がγ0であるとすると、距離ｄ0の地点では回線品質を満たして通信できるが、距離d1（d1>d0）の地点では、受信ＳＮＲが(ｄ1/ｄ0)-α倍に小さくなるため、回線品質を満たした通信が非常に困難となる。
【００３２】
これに対し、サブキャリアを選択し、選択されたサブキャリアに電力を重畳した場合には、全サブキャリア数をＮ、選択したサブキャリア数をＭ（Ｍ＜Ｎ）とすると、1サブキャリア当りの受信ＳＮＲは、γ＝ γ0(ｄ1/ｄ0)-αN/Mとなる。従って、回線品質がγ0である場合には，(ｄ1/ｄ0)-α N/M ≧ 1となるように，受信装置２１ｂのサブキャリア配置決定装置２０８でMを決定する．次に，決定されたMを送信装置11に送り，送信装置11のサブキャリア割り当て制御装置１０７では，回線品質が良好なサブキャリアから順にM本を選択する．これにより，回線品質を満たした通信が期待できる。例えば、ｄ1＝２ｄ0の場合には、Ｍ≦Ｎ/１６となり、全キャリアの１６分の１を用いて通信すれば、通信距離を２倍に拡大できることになる。これにより、例えば送信装置１１を基地局に、受信装置２１を端末に備えた場合には、より広いカバレッジを持った無線通信システムが可能となる。
【００３３】
次に、図４は、図1と図２に示す本発明の無線通信システムの第２実用例を示す。図４は、基地局に送信機能、端末に受信機能を有するセルが同じ周波数帯を使用し、相互に隣接してシステムを運用している状況を表している。端末Ａは、セルＡ、ＢおよびＣの境界付近に位置しており、基地局ＢおよびＣから干渉電力（破線で示す）の影響を強く受ける。ここでは、端末Ａは、セル境界付近に位置しているため、どの基地局からの距離も略同じとみなす。全てのセルにおいてＯＦＤＭ等の従来技術を使用して送受信装置を構成した場合には、端末Ａにおける受信電力対干渉電力比（ＳＩＲ）は、せいぜい−３ｄＢである。これは、干渉電力が受信電力を上回っており、通信品質は極めて劣悪なものになると考えられる。
【００３４】
これに対し、本発明による無線通信システム１０の送受信装置１１、２１をセルＡのみで使用した無線通信システムを構成する。基地局Ａおよび端末Ａ間では、送受信に使用するサブキャリアを例えば図５に示す如く選択し、選択されたキャリアに全ての電力を重畳する（図５（Ａ）参照）。これにより、受信ＳＩＲは、Ｎ／Ｍ倍改善され（ここで、Ｎは全サブキャリア数、Ｍは選択されたサブキャリア数）、干渉電力の影響を低減することができる。また、本発明による無線通信システムの送受信装置１１、２１を全てのセルで使用し、例えば図６に示す如く、全サブキャリアを２つのキャリアを含む（Ｋ＝２）、3種のブロックＡ、ＢおよびＣに分け（Ｌ＝３）、セルＡ、ＢおよびＣは、それぞれブロックＡ、ＢおよびＣを優先的に使用するものとする。このとき、各基地局のサブキャリア配置決定装置２０８で干渉電力を考慮して伝送に用いるサブキャリアを選択するものとする．この結果，例えばセルＡは０、１、６、７、１２および１３のキャリアを使用し（図６（Ｂ）参照）、セルＢは２、３および８のキャリアを使用し（図６（Ｃ）参照）、セルＣは４、５、１０、１１および１５のキャリアを使用する（図６（Ｄ）参照）。これにより、干渉電力の影響を非常に小さく抑え、良好な受信品質が得られ、全てのセルＡ〜Ｃで同一周波数帯域を使用する通信が可能となる。また、拡散・逆拡散処理を使用していないため、装置化した際にハードウェア規模の増大を抑えることが可能である。
【００３５】
以上、本発明による無線通信システムの好適実施形態の構成および動作を詳述した。しかし、斯かる実施形態は、本発明の単なる例示に過ぎず、何ら本発明を限定するものではない。
【００３６】
【発明の効果】
以上の説明から理解される如く、本発明の無線通信システムによると、次の如き実用上の顕著な効果が得られる。即ち、回線品質に応じてサブキャリアを選択することにより、通信距離を拡大することが期待できる。また、マルチセルを構成した場合には、回線品質に応じてサブキャリアを選択することにより、干渉電力を低減でき、全てのセルで同一周波数帯を使用して通信できる。このとき、従来技術のようにスペクトル拡散技術を使用しないため、ハードウェア規模の増大を抑えることが可能である。
【図面の簡単な説明】
【図１】本発明の好適実施形態による無線通信システムの送信装置構成を示すブロック図である。
【図２】本発明の好適実施形態による無線通信システムの受信装置構成を示すブロック図である。
【図３】図１と図２に示す本発明の無線通信システムの第1実用例を示す図である。
【図４】図１と図２に示す本発明の無線通信システムの第2実用例を示すである。
【図５】図４に示す受信装置Ａの送信装置Ａ〜Ｃからの信号および干渉の説明する図である。
【図６】図４に示す無線通信システムの動作説明図である。
【図７】従来のＯＦＤＭ方式無線通信システムの送信装置構成を示すブロック図である。
【図８】従来のＯＦＤＭ方式無線通信システムの受信装置構成を示すブロック図である。
【図９】従来のＭＣ−ＣＤＭＡ方式無線通信システムの送信装置構成を示すブロック図である。
【図１０】従来のＭＣ−ＣＤＭＡ方式無線通信システムの受信装置構成を示すブロック図である。
【符号の説明】
１０  無線通信システム
１１  送信装置
２１  受信装置
１０１  ベースバンド信号生成装置
１０２  直並列変換装置
１０３  サブキャリアマッピング装置
１０４  電力制御装置
１０５  逆フーリエ変換装置
１０６  ガードインタバル付加装置
１０７  サブキャリア割当て制御装置
１０８  多重装置
２０１  分離装置
２０２  ガードインタバル除去装置
２０３  フーリエ変換装置
２０４  サブキャリア配置信号再生装置
２０５  逆サブキャリアマッピング装置
２０６  並直列変換装置
２０７  ベースバンド復調装置
２０８  サブキャリア配置決定装置
【図１】
0003637965.tif 000002
【図２】
0003637965.tif 000003
【図３】
0003637965.tif 000004
【図４】
0003637965.tif 000005
【図５】
0003637965.tif 000006
【図６】
0003637965.tif 000007
【図７】
0003637965.tif 000008
【図８】
0003637965.tif 000009
【図９】
0003637965.tif 000010
【図１０】
0003637965.tif 000011